(57)【特許請求の範囲】
【請求項１】
被写体像を電気信号に変換する撮像素子と画像を表示する表示部を備えた撮像装置であって、
前記撮像素子が接続されるとともに、前記撮像素子の出力信号をＡ／Ｄ変換する回路が実装される撮像回路基板と、
前記撮像回路基板から出力される信号に所定の画像処理を施す画像処理回路が実装される画像処理回路基板と、
前記表示部のドライバ回路および外部インタフェースが実装される画像表示回路基板とを有し、
前記撮像回路基板は前記撮像素子の撮像面と略平行に配置され、
前記画像処理回路基板は前記撮像回路基板と略同一平面内であって、かつ前記撮像回路基板よりも前記撮像装置のグリップ側に配置され、
前記画像表示回路基板は前記撮像回路基板と略同一平面内であって、かつ前記撮像回路基板よりも前記グリップと反対側に配置されるとともに、前記撮像回路基板の下方に延長した形状として、
前記画像表示回路基板の前記撮像回路基板の下方に延長した部分に、前記画像処理回路基板と接続するためのコネクタを実装することを特徴とする撮像装置。
【請求項２】
前記画像表示回路基板の前記撮像回路基板の下方に延長した部分に、前記表示部と接続するためのコネクタを実装することを特徴とする請求項１に記載の撮像装置。
【請求項３】
前記撮像回路基板の表面に実装されている電気部品の最大高さが前記画像処理回路基板の裏面に実装されている電気部品の最大高さを超えない範囲で平行に配置されていることを特徴とする請求項１または２に記載の撮像装置。
【発明の詳細な説明】
【０００１】
【発明の属する技術分野】
本発明は、被写体像を電気信号に変換する撮像素子と、該撮像素子より出力される画像データを記録媒体に記録する記録手段を備えた電子カメラ等の撮像装置に係り、特に撮像回路基板を含む電気回路基板の配置に関するものである。
【０００２】
【従来の技術】
従来、撮影レンズから入射された被写体像をＣＣＤ等の撮像素子により光電変換し、この光電変換された画像信号をＡ／Ｄ変換して記録媒体に記録し、更に内蔵の液晶モニタで画像の表示が可能な電子カメラが一般的に知られている。最近、このような電子カメラの一種として撮影レンズが交換可能な一眼レフレックス電子スチルカメラも市場に出現し始めている。
【０００３】
一眼レフレックス電子スチルカメラにおいても、従来の銀塩フィルムカメラと同様に小型で、良好な操作性および高速連写性能などが要求されている。電子カメラにおいては、画像データを一旦バッファメモリ（揮発性メモリ）に記憶し、その後、コンパクトフラッシュカード（ＣＦカード）等の記録媒体へ転送して保存記録する。このため銀塩フィルムカメラと比較して、撮像回路、画像処理回路および画像表示回路など多くの電気部品を使用した大規模な電気回路が付加されている。
【０００４】
特にレンズ鏡筒がカメラより着脱可能な一眼レフレックス電子カメラでは、撮影できる画像が高画質であること、撮影できる被写体輝度範囲が広いことなどが要求される。このため画素数が多くかつ感度の高い撮像素子の採用が必要となっている。従って撮像面積の大きな撮像素子が使用され、必然的に撮像素子が接続される基板の面積も大きなものとなる。従って複数の基板配置が難しく、カメラの小型化を図って良好な操作性を達成することが極めて困難となっている。
【０００５】
図７および図８は、従来例として一眼レフレックス電子スチルカメラの一例を示している。図において、１０１はカメラ筐体であり、前方に突出したグリップ部１０１ａの内部に電池１０２を配置している。１０３は交換可能なレンズ鏡筒であり、撮影レンズ１０４を保持している。１０５はミラーボックスであり、マウント部１０５ａでレンズ鏡筒１０３と連結される。また、ミラーボックス１０５の内部には、撮影レンズ１０４を通った光をファインダ接眼部へ導くため光軸Ｌ0に対して４５°の角度に保持されるクイックリターンミラー１０６を備え、その後方にフォーカルプレーンシャッタ１０７を備えている。１０８はペンタプリズム、１０９は被写体像を観察するためのファインダ接眼レンズ群である。ここまでは、従来の銀塩フィルムを使った一眼レフレックスカメラとほぼ同様の構造である。
【０００６】
１１０はフォーカルプレーンシャッタ１０７の後方で光軸Ｌ0に対して垂直な面を撮像面とする撮像素子であり、撮像素子１１０が接続されている撮像回路基板１１１は、図示のように撮像面と平行に配置されている。撮像回路基板１１１の後方に第1回路基板１１２、第２回路基板１１３が順番に重なって配置されている。第１回路基板１１２および第２回路基板１１３には、例えば機構駆動制御回路、画像処理回路、画像表示回路などが搭載されている。第２回路基板１１３の更に後方には、照明用光源１１４と液晶表示部１１５が配置されている。１１６は外部記録媒体であるメモリカードおよびカードコネクタが配置されるスペースであり、第１回路基板１１２に沿って電池１０２との間に設けられている。
【０００７】
上述した電子カメラでは、撮像素子１１０が接続された撮像回路基板１１１の後方に第１回路基板１１２、第２回路基板１１３が順番に重なって配置されているので、カメラ全体の厚みが増大し、特に銀塩フィルムカメラと比較すると大幅に厚み方向の寸法が増大していた。従ってカメラが大きくなり、撮影時に安定して把持することが困難な形態となる。
【０００８】
そこで、カメラ全体の厚みを増大させないために、図９に示すような電子カメラが考案されている。上述した従来例と同様の部材および配置については説明を省略する。
【０００９】
図９において、１２０、１２１、１２２、１２３は機構駆動制御回路、画像処理回路、画像表示回路などを搭載した第１基板、第２基板、第３基板、第４基板であり、いずれも撮像回路基板と垂直に配置されている。メモリカードおよびカードコネクタの配置されるスペース１１６は第３基板に沿って第３基板と第４基板の間に配置されている。電池１０２はカメラ底面近傍に位置し、撮像面方向を電池の長手方向として配置されている。（図中、破線で示す）
【００１０】
【発明が解決しようとする課題】
しかしながら上述のような基板配置では、撮像回路基板に対して光軸方向から見て重なることなく距離をおいて配置されているため、カメラの横幅寸法の増大を招いてしまう。更にミラーボックスの側方壁１０５ｂと第１基板１２０との間隔が離れてしまい、第１基板１２０がミラーボックス１０５に保持されずにミラーボックスと異なるシャーシに取り付けられる。このためミラーボックス１０５を中心としたユニットを構成できず、従って撮像回路基板とのフレキシブル配線板等による接続作業性の悪化を招く原因となっていた。
【００１１】
また、機構駆動制御回路、画像処理回路、画像表示回路などは多くの電気部品を使用した大規模な電気回路である。そして、図に示すように撮像回路基板と垂直に配置された基板ばかりでは、１枚ごとの基板面積を大きく確保することができない。第１基板１２０〜第４基板１２３のように基板枚数を増して、基板面積を確保する必要が生じていた。従って各基板間を接続するためのフレキシブル基板やコネクタをより多く必要とするために、コストの増大を招くものであった。更には、グリップ部１０１ａの内部に電池を配置するスペースがなくなり、そのためカメラ底面近傍に配置すると、カメラの高さが高くなっていた。
【００１２】
本発明はかかる実情に鑑み、有効に小型化を図り、操作性に優れた撮像装置を提供することを目的とする。
【００１３】
【課題を解決するための手段および作用】
本発明の撮像装置は、被写体像を電気信号に変換する撮像素子と画像を表示する表示部を備えた撮像装置であって、前記撮像素子が接続されるとともに、前記撮像素子の出力信号をＡ／Ｄ変換する回路が実装される撮像回路基板と、前記撮像回路基板から出力される信号に所定の画像処理を施す画像処理回路が実装される画像処理回路基板と、前記表示部のドライバ回路および外部インタフェースが実装される画像表示回路基板とを有し、前記撮像回路基板は前記撮像素子の撮像面と略平行に配置され、前記画像処理回路基板は前記撮像回路基板と略同一平面内であって、かつ前記撮像回路基板よりも前記撮像装置のグリップ側に配置され、前記画像表示回路基板は前記撮像回路基板と略同一平面内であって、かつ前記撮像回路基板よりも前記グリップと反対側に配置されるとともに、前記撮像回路基板の下方に延長した形状として、前記画像表示回路基板の前記撮像回路基板の下方に延長した部分に、前記画像処理回路基板と接続するためのコネクタを実装することを特徴とする。
【００２３】
【発明の実施の形態】
以下、本発明の好適な実施の形態について図面を用いて詳細に説明する。
図１〜図５により本発明を適用した撮像装置について、この実施形態では一眼レフレックス電子スチルカメラを例にして説明する。図１および図２は一眼レフレックス電子スチルカメラの外観図を示し、図１はカメラ前方より見た斜視図であり、レンズ鏡筒を外した状態を示す。図２はカメラ背面側より見た斜視図である。
【００２４】
先ず、図１と図２を参照して外観される部分について説明する。１はカメラ筐体であり、撮影時に使用者がカメラを安定して握り易いように前方に突出したグリップ部１ａが設けられている。２はマウント部であり、着脱可能なレンズ鏡筒３（図４および図５参照）がカメラ本体に取り付けられる部位である。４はレンズ鏡筒３を取り外す際に押し込むレンズロック解除釦である。５はカメラ筐体内に配置されたミラーボックスであり、撮影レンズを通った光をファインダへ導くため４５°の角度に保持されるクイックリターンミラー６を内蔵している。
【００２５】
カメラ上部（正面より見て）左方には、撮影開始の起動スイッチとしてのシャッタボタン７と、撮影時の動作モードに応じてシャッタスピードやレンズ絞り値を設定するメイン操作ダイヤル８と、カメラの各動作モードを示すＬＣＤ表示パネル９と、撮影系の上面動作モード設定ボタン１０が配置されている。上面動作モード設定ボタン１０は、シャッタボタン７の１回の押込みで連写になるか１コマのみの撮影となるかの設定やセルフ撮影モードの設定などを行うものであり、ＬＣＤ表示パネル９にその設定状況が表示されるようになっている。
【００２６】
カメラ上部中央には、カメラ本体に対してポップアップするストロボユニット１１とフラッシュ取付け用のシュー溝１２とフラッシュ接点１３があり、カメラ上部右よりには撮影モード設定ダイヤル１４が配置されている。
【００２７】
カメラ右側面には、開閉可能な外部端子蓋１５が設けられていて、この蓋１５を開けた内部には外部インタフェースとしてビデオ信号出力用ジャック１６とＵＳＢ出力用コネクタ１７が納められている。
【００２８】
カメラ背面には、光軸中心上の上方にファインダ接眼窓１８が設けられ、更にカメラ背面中央には画像表示可能なカラー液晶表示部１９が設けられている。カラー液晶表示部１９の横に配置されたサブ操作ダイヤル２０は、メイン操作ダイヤル８の機能の補助的役割を担い、例えばカメラのＡＥモードでは自動露出装置により算出された適正露出値に対する露出補正量を設定するために使用される。あるいはまた、シャッタスピードとレンズ絞り値の各々を使用者の意志によって設定するマニュアルモードにおいて、メイン操作ダイヤル８でシャッタスピードを設定し、サブ操作ダイヤル２０でレンズ絞り値を設定する。また、このサブ操作ダイヤル２０は、カラー液晶表示部１９に表示される撮影済み画像の表示選択手段としても用いられる。
【００２９】
２１は背面動作モード設定ボタンであり、ＡＥロック設定などを設定することができ、上面動作モード設定ボタン１０と同様にＬＣＤ表示パネル９にその設定状況が表示されるようになっている。２２はカメラの電源投入を行うためのメイン電源スイッチであり、所定角度回転させることでスイッチのＯＮ、ＯＦＦを切り替える。カラー液晶表示部１９の背面より見て左わきに整列した押しボタンスイッチ２３は、カラー液晶操作スイッチでカメラの各種設定を行うためのメニュー表示や撮影済み画像の表示方法の変更などを行える。２４は一旦記録媒体に記録された画像データを消去するための消去ボタンであり、誤って押し込んでしまうことがないようにＬＣＤ操作スイッチ２４から離れて配置されている。
【００３０】
２５は後述する外部記録媒体であるメモリカードの挿入口を覆うための開閉可能なカード蓋であり、少量のスライド移動に加えて回動することが可能に支持されている。２６は電池蓋であり、電池をカメラの底面より挿抜できるように回動可能に支持されている。２７はカメラ底面に設けられた三脚取付け用ネジである。
【００３１】
次に、図３〜図５を参照してカメラ内部の光学部材、電池収納室、回路基板、メモリカード装着部などの各構成部材の配置および作用等について説明する。図３はカメラ背面の筐体を切断して内部を表す背面図、図４は図３のＡ−Ａ線に沿って切断した断面図、図５は図３のＢ−Ｂ線に沿って切断したレンズ光軸を含む垂直断面図であり、ストロボをポップアップさせた状態を示している。
【００３２】
これらの図において、３はカメラ本体より着脱可能なレンズ鏡筒であり、撮影レンズ３０を保持している。カメラ筐体１の前方に突出したグリップ部１ａの内部には、電源である電池３１が長手方向を図中に指示の矢印Ｙ方向として配置されている。３２はフォーカルプレーンシャッタであり、クイックリターンミラー６の後方に配置され、ミラーボックス５に保持される。
【００３３】
３３はペンタプリズム、３４は被写体像を観察するためのファインダ接眼レンズ群である。３５はフォーカルプレーンシャッタ３２の後方において光軸Ｌに対して垂直な面を撮像面とする撮像素子であり、被写体画像を電気撮像信号に変換する。撮像素子３５の直前には撮像面と平行に光学フィルタ３６が配置される。撮像素子３５の撮像面と光学フィルタ３６の間にゴミ等が進入することのないように密閉されたユニットを構成している。撮像素子３５はそのパッケージ外形に対する撮像面、即ちセンサチップ面の位置と傾きについてばらつきがあるため、カメラを量産する工程上、撮影レンズとセンサチップ面との相関位置を合わせ込むための調整が必要となっており、この位置調整を行った上で撮像素子ユニットはミラーボックス５に取り付けられている。
【００３４】
３７は撮像回路基板であり、撮像素子３５が接続され、図に示すように撮像面と平行に配置されている。撮像回路基板３７には、撮像素子３５の出力信号をサンプリングして増幅し、Ａ／Ｄ変換する電気回路を構成する電気部品が実装されている。
【００３５】
３８は第1回路基板である撮影系制御回路基板であり、ミラーボックス５の左側方において撮像回路基板３７と垂直に配置されるとともに、光軸方向より見て撮像回路基板３７と重なる位置まで近づいて配置され、ミラーボックス５にビス等で保持されている。撮影系制御回路基板３８には、ＡＦやＡＥなどカメラの撮影動作のコントロールを行う電気回路が組み込まれている。
【００３６】
３９は第2回路基板である画像処理回路基板であり、撮像回路基板３７と略同一平面内において撮像回路基板３７の右側（グリップ１ａの側）に配置されている。画像処理回路基板３９には、ホワイトバランス、露出調整、ガンマ補正等の画像信号に所定の処理を施す電気回路およびデジタル画像信号を内部メモリへ格納し、あるいは読み出す動作を制御するメモリコントロール回路、更にはカメラ全体のシステムコントロールを行う電気回路が組み込まれている。
【００３７】
４０は第3回路基板である画像表示回路基板であり、画像処理回路基板３９と同様に撮像回路基板３７と略同一平面内において撮像回路基板３７の左側（グリップ１ａと反対の側）に配置され、更に図３に示すように撮像回路基板３７の下方に延長してＬ字形状をなしている。画像表示回路基板４０には、後述するカラー液晶モニタ４２のドライバ回路が組み込まれていて、映像出力信号がカラー液晶モニタ４２に送られ、モニタ上の画面に撮影された画像を再生する。また、更に図１において説明した外部インタフェースとしてのビデオ信号出力用ジャック１６とＵＳＢ出力用コネクタ１７が実装されていて、デジタル画像信号をビデオ信号に変換するビデオエンコーダ等の回路と外部インタフェースバスが配線されている。
【００３８】
撮像回路基板３７の後方には、カラー液晶表示部１９が配置されている。カラー液晶表示部１９は、照明用光源４１とカラー液晶モニタ４２と筐体１の開口窓から構成されている。照明用光源４１とカラー液晶モニタ４２とは、板金ケース４３に収納されている。
【００３９】
４４はインバータ回路基板であり、前記照明用光源４２を点灯するための回路が組み込まれている。インバータ回路基板４４は、電力ロスを少なく抑えることと製造工程上の点灯チェックを行い易くするために照明用光源４２の近くに配置されてユニット化されることが望ましい。通常は照明用光源４１とカラー液晶モニタ４２を保持したケースの裏面に直に取り付けられていることが多い。カメラ全体の厚みを増やさないようにするためには、図５に示すように板金ケース４３をカメラ前方および下方へ延長して、撮像回路基板３７とは重なることなく下方にインバータ回路基板４４を配置する。これにより基板上に実装されている大型のトランスやコンデンサをスペース効率良く収納するとともに、照明用光源４１とのユニット化を達成している。
【００４０】
４５はストロボ回路基板であり、ミラーボックス５の左側方において撮像回路基板３７と平行に配置されている。ストロボ回路基板４５には充電用のメインコンデンサ４６が接続されており、このメインコンデンサ４６への充電制御やストロボユニット１１内の発光部４７の制御を行う回路が組み込まれている。
【００４１】
４８は電源回路基板であり、グリップ１ａ寄りの上方においてカメラ底面に対して水平に配置されている。電源回路基板４８にはＤＣ／ＤＣコンバータ回路が構成され、電源電池３１からの出力電圧を各回路に応じた供給電圧に変換する。４９は外部表示用ＬＣＤであり、電源回路基板４８の上方において筐体１の外観面に沿って配置されている。外部表示用ＬＣＤ４９には、シャッタスピードやレンズ絞り値、撮影枚数、その他カメラに設定した動作モードの状況や電池容量の残量などを表示する。
【００４２】
５０は外部記録媒体であるメモリカード、５１はメモリカード５０が接続されるカードコネクタであり、画像処理回路基板３９に沿って電池３１との間に設けられている。メモリカード５０の挿抜は、カード蓋２５を光軸に沿ってカメラ後方へ引いてからヒンジ２５ａを回動中心として反時計方向へ（図４参照）回転させて開き、カメラのグリップ側側面より行えるようになっている。
【００４３】
次に、各基板相互の位置関係および各基板間の接続状態について説明する。
光軸に垂直な撮像回路基板３７とミラーボックス５に保持された撮影系制御回路基板３８とは互いが垂直な位置関係となっており、光軸方向（図４のＺ方向）から見たときに撮影系制御回路基板３８の板厚方向の面が撮像回路基板３７と重なる部分を有している。そして、撮像回路基板３７と撮影系制御回路基板３８とはそれぞれの基板に実装されている基板対基板の接続用コネクタ５２ａと５２ｂによって接続されている。
【００４４】
光軸に垂直な撮像回路基板３７と画像処理回路基板３９とは略同一平面内に配置されていて、撮像回路基板３７上に実装されたコネクタ５３と画像処理回路基板３９上に実装されたコネクタ５４との間をフレキシブルプリント配線板６０によって接続している。また、光軸に垂直な撮像回路基板３７と画像表示回路基板４０とは略同一平面内に配置されていて、画像処理回路基板３９上に実装されたコネクタ５５と画像表示回路基板４０上に実装されたコネクタ５６との間をフレキシブルプリント配線板６１により接続している。また、画像表示回路基板４０上にはコネクタ５７が実装されていて、カラー液晶モニタ４２とフレキシブルプリント配線板６２により接続している。
【００４５】
従って、図３に示すように撮像回路基板３７は画像処理回路基板３９と画像表示回路基板４０とファインダレンズ群３４とで囲まれていることになる。ストロボ回路基板４５は、撮像回路基板３７と平行かつ撮影系制御回路基板３８と垂直に配置されていて、ストロボ回路基板４５と撮影系制御回路基板３８との間をフレキシブルプリント配線板６３により接続している。電源回路基板４８は、画像処理回路基板３９と垂直に配置され、電源回路基板４８と画像処理回路基板３９とはそれぞれの基板に実装されている基板対基板の接続用コネクタ５７ａと５７ｂによって接続されている。
【００４６】
ここで、本発明における「略同一平面内にある基板」の定義を、図６を用いて説明する。図６に示した基板Ａと基板Ｂは略同一平面内に位置する基板である。即ち、基板Ａの表面に実装されている電気部品の最大高さが基板Ｂの裏面に実装されている電気部品の最大高さを越えることなく、部品高さ方向のオーバーラップ量Ｓを有して平行に位置した基板相互の関係を略同一面内に配置されている基板と称している。
【００４７】
次に、以上のように構成された本実施形態における電子カメラにおける撮像および画像再生等の動作について説明する。
撮影待機状態においては、ミラーボックス５内のクイックリターンミラー６は光軸Ｌに対して４５°の角度に保持されている。そして、撮影レンズ３０を通った光を反射してペンタプリズム３３へ導き、更にファインダ接眼レンズ群３４よりファインダ接眼窓１８へ導かれて、使用者が被写体像を観察できるようになっている。この時、フォーカルプレーンシャッタ３２は閉じられている。
【００４８】
使用者がシャッタボタン７を押して撮影が開始されると、所定の制御に従ってＡＦおよびＡＥ動作に続いてモータ（図示せず）を駆動源としてクイックリターンミラー６はヒンジを中心に上方へ回動する。その後フォーカルプレーンシャッタ３２が開いて撮影レンズ３０を通った光を撮像素子３５へ導くことで露光される。ここまでの機構部品の動作については、従来の銀塩フィルムを使った一眼レフレックスカメラと同様の動作である。
【００４９】
撮影レンズ３０を通して取り込まれた被写体像は、撮像素子３５によって電気撮像信号に変換される。その後増幅およびＡ／Ｄ変換されて、画像処理回路基板３９へ送られる。そして、ホワイトバランス、露出調整、ガンマ補正等の画像信号に所定の処理を経て内部メモリあるいはメモリカード５０に画像データが記録される。
【００５０】
撮影後の画像再生動作として、メモリカード５０に記録済みの画像データをカラー液晶モニタ４２に表示することができる。また、メモリカード５０に記録済みの画像データは、ビデオエンコーダでビデオ信号に変換されて出力される。あるいはデジタルインタフェースによりＵＳＢ規格に沿ったデジタル信号として出力されて、それぞれ応じたビデオ信号出力用ジャック１６とＵＳＢ出力用コネクタ１７を介してテレビモニタやパソコンへ送ることができる。
【００５１】
上述したように本発明の撮像装置では、撮像回路基板３７と略同一平面内に１枚以上の回路基板を配置するので、カメラ全体の厚みおよび横幅寸法の増加を抑えつつ、撮像回路以外の回路を搭載した回路基板３８，３９，４０等をスペース効率良く収容できる。また、撮像回路基板３７の略同一平面内の左右両側にこれらの回路基板を配置するので、電池や外部インタフェース用コネクタ１７等の配置スペースとの位置関係を良好に保てるとともに、レンズ光軸に対して左右のバランスが良い形状のカメラを構成することができる。
【００５２】
また、撮像回路基板３７と他の回路基板３９，４０等を同一平面内において分割し、フレキシブルプリント配線板６０等で接続するので、撮像素子の位置および傾きの調整を行った場合に位置変化の影響を受ける基板は撮像回路基板３７のみとなる。これにより、分割した他の回路基板３８，３９，４０等はしっかりと固定できて、外部インタフェース用コネクタ１７等の搭載が可能となる。更に分割した他の回路基板に外部インタフェース用コネクタを搭載することで、撮像素子を接続した撮像回路基板３７に対して直接外部から力が加わることがないので、撮像系のピントずれが発生せず、良好な撮影画像が得られる。
【００５３】
また、光軸方向より見て撮像素子が接続された撮像回路基板３７と重なる位置で垂直に他の回路基板３８を配置することで、カメラ全体の厚み寸法の増加を抑えつつ、撮像回路基板３７の面積を大きく確保できるとともに撮像回路以外の回路を搭載した基板３９，４０等をスペース効率良く収容することができる。特に、他の回路基板３８と撮像回路基板３７との接続について、フレキシブル配線板を使用せずともそれぞれの基板３７，３８等に実装された基板対基板の接続コネクタセット５２ａ，５２ｂ等によって接続することが可能となるので、部品コストの削減、組立て作業性の向上に結び付き、製造コストを低く抑えることができるとともに、他の回路基板３８と撮像回路基板３８とを短い距離で接続できるので、ノイズの影響が少なく、良好な撮影画像が得られるカメラを提供することができる。
【００５４】
更にミラーボックス５に他の回路基板３８を保持することにより、ミラーボックス５を中心としたユニットを構成することができるため、組立て作業性が良く、製造コストの増大を抑えることができる。
【００５５】
【発明の効果】
以上説明したように本発明によれば、撮像回路基板の背面に重ねて回路基板を配置することなく、複数の基板をスペース効率良く収容できる。これによりカメラ全体の厚みおよび横幅寸法の増加を抑えた小型で把持し易いカメラを提供することができる。また、基板をユニット化することによる組立て作業性の改善により実質的に製造コストを抑制することができる。したがって、コンパクトで使用性に優れ、実質的に低コストなカメラを実現する等の利点を有している。
【図面の簡単な説明】
【図１】本発明の実施形態における電子カメラの前方より見た外観斜視図である。
【図２】本発明の実施形態における電子カメラの背面側より見た外観斜視図である。
【図３】本発明の実施形態における同電子カメラの一部断面で示す背面図である。
【図４】図３のＡ−Ａ線に沿って切断した断面図である。
【図５】図３のＢ−Ｂ線に沿って切断した断面図である。
【図６】本発明の実施形態に係る「略同一平面内にある基板」の定義を説明する図である。
【図７】従来例としての電子カメラを示す水平断面図である。
【図８】図７に示した従来例の電子カメラを示す垂直断面図である。
【図９】別の従来例としての電子カメラを示す断面図である。
【符号の説明】
1カメラ筐体
2マウント
3レンズ鏡筒
５    ミラーボックス
１６    ビデオ信号出力用ジャック
１７    ＵＳＢ出力用コネクタ
３１    電池
３２    フォーカルプレーンシャッタ
３５    撮像素子
３７    撮像回路基板
３８    撮影系制御回路基板
３９    画像処理回路基板
４０    画像表示回路基板
４１    カラー液晶モニタ
４２    照明用光源
４４    インバータ回路基板
４５    ストロボ回路基板
４８    電源回路基板
４９    外部表示用ＬＣＤ
５０    メモリカード
５１    カードコネクタ
【図１】
0004521966.tif 000002
【図２】
0004521966.tif 000003
【図３】
0004521966.tif 000004
【図４】
0004521966.tif 000005
【図５】
0004521966.tif 000006
【図６】
0004521966.tif 000007
【図７】
0004521966.tif 000008
【図８】
0004521966.tif 000009
【図９】
0004521966.tif 000010